(57)【要約】【課題】トイレットペーパーにより適当に水分を含ませることができるトイレットペーパー添湿機を提供する。【解決手段】水槽部１４を備えた添湿機本体１２と、添湿機本体１２に回動自在に設けられたメインローラ２６と、メインローラの外周部に設けられた円筒状のスポンジ３０と、円筒状のスポンジ３０の水分を絞り取る絞りローラ２４とを有するものである。【選択図】      図３
2006167121.tif 000002
【特許請求の範囲】
【請求項１】
水や薬液等の液体を入れておくための水槽部を備えた添湿機本体と、
前記添湿機本体に対し回動自在に取付けられ、前記水槽部に少なくともその下部が収納されると共にその上部が水槽部から露出したメインローラと、
前記メインローラの外周面に設けられ、トイレットペーパーが添えられる円筒状のスポンジと、
前記添湿機本体内部であって、前記水槽部より上方に回動自在に配され、かつ、前記円筒状のスポンジと当接することにより前記スポンジの回動と共に回動する絞りローラと、
前記添湿機本体の下部に設けられ、前記水槽部から液体を抜き取るための栓と、
を有する
ことを特徴とするトイレットペーパー添湿機。
【請求項２】
水や薬液等の液体を入れておくための水槽部を備えた添湿機本体と、
前記添湿機本体に対し回動自在に取付けられ、前記水槽部に少なくともその下部が収納されると共にその上部が水槽部から露出したローラと、
前記ローラの外周面に設けられ、トイレットペーパーが添えられる円筒状のスポンジと、
前記添湿機本体の内部であって、前記水槽部より上方に配され、かつ、先端部が前記円筒状のスポンジと当接する絞りブレードと、
前記添湿機本体の下部に設けられ、前記水槽部から液体を抜き取るための栓と、
を有する
ことを特徴とするトイレットペーパー添湿機。
【請求項３】
前記円筒状のスポンジを挟んで前記絞りローラ、または、前記絞りブレードとは反対側の位置であって、前記水槽部より上方に掻き取りブレードが配され、
前記掻き取りブレードの先端部が前記スポンジに当接されている
ことを特徴とする請求項１または２記載のトイレットペーパー添湿機。
【請求項４】
前記添湿機本体の側面より前記メインローラを回転させるハンドルが突出している
ことを特徴とする請求項１または２記載のトイレットペーパー添湿機。
【請求項５】
前記ハンドルが前記メインローラの回転軸と着脱自在であり、かつ、前記メインローラが前記添湿機本体から着脱自在である
ことを特徴とする請求項４記載のトイレットペーパー添湿機。
【発明の詳細な説明】
【技術分野】
【０００１】
本発明は、トイレットペーパーに適当な湿り気を含ませて使用できるトイレットペーパー添湿機に関するものである。
【背景技術】
【０００２】
本出願人は、先に、トイレットペーパーに適当な湿り気を含ませることができるトイレットペーパー添湿機を提案した（特許文献１参照）。
【０００３】
このトイレットペーパー添湿機は、水や薬液等の液体を入れておくための水槽部備えた添湿機本体と、添湿機本体に対し回動自在に取り付けられたメインローラと、メインローラの外周面に設けられた円筒状のスポンジよりなるものである。
【０００４】
このトイレットペーパー添湿機であると、メインローラを回転させつつ、スポンジに乾燥したトイレットペーパーを添えるようにして押し当てるだけで水槽部に入れられた液体が染み込み、湿らすことができる。
【特許文献１】実公平７−６８６５号公報
【発明の開示】
【発明が解決しようとする課題】
【０００５】
しかし、上記のトイレットペーパー添湿機において、円筒形のスポンジに水槽部の液体が染み込むが、このスポンジに多量の液体が染み込むと、トイレットペーパーが必要以上に柔らかくなり、溶けてしまうという問題点がある。
【０００６】
そこで、本発明はトイレットペーパーにより適当に水分を含ませることができるトイレットペーパー添湿機を提供する。
【課題を解決するための手段】
【０００７】
請求項１に係る発明は、水や薬液等の液体を入れておくための水槽部を備えた添湿機本体と、前記添湿機本体に対し回動自在に取付けられ、前記水槽部に少なくともその下部が収納されると共にその上部が水槽部から露出したメインローラと、前記メインローラの外周面に設けられ、トイレットペーパーが添えられる円筒状のスポンジと、前記添湿機本体内部であって、前記水槽部より上方に回動自在に配され、かつ、前記円筒状のスポンジと当接することにより前記スポンジの回動と共に回動する絞りローラと、前記添湿機本体の下部に設けられ、前記水槽部から液体を抜き取るための栓と、を有することを特徴とするトイレットペーパー添湿機である。
【０００８】
請求項２に係る発明は、水や薬液等の液体を入れておくための水槽部を備えた添湿機本体と、前記添湿機本体に対し回動自在に取付けられ、前記水槽部に少なくともその下部が収納されると共にその上部が水槽部から露出したローラと、前記ローラの外周面に設けられ、トイレットペーパーが添えられる円筒状のスポンジと、前記添湿機本体の内部であって、前記水槽部より上方に配され、かつ、先端部が前記円筒状のスポンジと当接する絞りブレードと、前記添湿機本体の下部に設けられ、前記水槽部から液体を抜き取るための栓と、を有することを特徴とするトイレットペーパー添湿機である。
【０００９】
請求項３に係る発明は、前記円筒状のスポンジを挟んで前記絞りローラ、または、前記絞りブレードとは反対側の位置であって、前記水槽部より上方に掻き取りブレードが配され、前記掻き取りブレードの先端部が前記スポンジに当接されていることを特徴とする請求項１または２記載のトイレットペーパー添湿機である。
【００１０】
請求項４に係る発明は、前記添湿機本体の側面より前記メインローラを回転させるハンドルが突出していることを特徴とする請求項１または２記載のトイレットペーパー添湿機である。
【００１１】
請求項５に係る発明は、前記ハンドルが前記メインローラの回転軸と着脱自在であり、かつ、前記メインローラが前記添湿機本体から着脱自在であることを特徴とする請求項４記載のトイレットペーパー添湿機である。
【発明の効果】
【００１２】
請求項１に係る発明のトイレットペーパー添湿機においては、円筒状のスポンジが水槽部の液体を染み込み、回動した場合に、絞りローラによって必要以上の液体が絞り出され、添湿機本体の上方に回動した場合に適当な量の液体を染み込んだ状態となる。そのため、このスポンジに乾燥したトイレットペーパーを当てても必要以上にトイレットペーパーが柔らかくならない。
【００１３】
請求項２に係る発明のトイレットペーパー添湿機であると、円筒状のスポンジが水槽部の液体を染み込み、絞りブレードの位置にくると、この絞りブレードの先端により必要以上の液体が絞り出され、添湿機本体の上方に回転したときには、適当な量の水分を含んだ状態となり、このスポンジに乾燥したトイレットペーパーを当てても、必要以上にトイレットペーパーが柔らかくならない。
【００１４】
請求項３に係る発明のトイレットペーパー添湿機であると、円筒状のスポンジがトイレットペーパーに水分を供給した後再び水槽部に回転するまでに掻き取りブレードによってスポンジの表面が掻き取られるため、スポンジの表面に付着したトイレットペーパーを取り除くことができ、水槽部の液体にトイレットペーパーのカスが入ることがない。
【００１５】
請求項４に係る発明のトイレットペーパー添湿機であると、ハンドルによって簡単にメインローラを回転させることができる。
【００１６】
請求項５に係る発明のトイレットペーパー添湿機であると、ハンドルをメインローラーの回転軸から外し、メインローラを添湿機本体からはずすことにより、スポンジを取り替えることができる。
【発明を実施するための最良の形態】
【００１７】
（第１の実施形態）
本発明の第１の実施形態のトイレットペーパー添湿機１０について、図１から図３に基づいて説明する。
【００１８】
（１）トイレットペーパー添湿機１０の構造
トイレットペーパー添湿機１０の本体である添湿機本体１２は、図１に示すように箱型であってその上部が開口し、下部に水槽部１４が設けられている。この水槽部１４の側面には、開口部１６が設けられ、この開口部１６には栓１８が取り付けられている。この栓１８を開口部１６から取り外すことにとり、水槽部１４に収納されている液体を排出することができる。添湿機本体１２の上面は、後方にいくほど上部に傾斜し、前部から手が添えられ易いようになっている。また、添湿機本体１２の上部の後端部には、液体が飛び散らないようにするための遮断壁２０がやや内方に向かって突出している。
【００１９】
添湿機本体１２の上部ほぼ中央部には、一対の軸受け２２，２２が切り欠かれている。この軸受け２２の溝は、添湿機本体１２の側面の内周側に沿って「く」の字状設けられ、上面は軸が挿入できるように開口している。この軸受け２２，２２には、メインローラ２６が回動自在に取り付けられる。すなわち、メインローラ２６の相対向する面から突出している一対の軸２８、２８が前記した軸受け２２、２２の溝に挿入される。
【００２０】
メインローラ２６の外周部には、図２に示すように円筒状のスポンジ３０が着脱自在に取り付けられる。この円筒状のスポンジ３０をメインローラ２６に取り付けた状態で添湿機本体１２に取り付けることができる。また、このスポンジ３０を添湿機本体１２に収納した状態で、図３に示すように絞りローラ２４と当接する。絞りローラ２４は、添湿機本体１２の内部における後部であって、水槽部１４のやや上方に回動自在に取り付けられ、絞りローラ２４の材質としてはゴムや合成樹脂である。
【００２１】
添湿機本体１２の内部であって、水槽部１４の上方で、かつ、添湿機本体１２の前部には掻き取りブレード３２が突出している。すなわち、掻き取りブレード３２は、メインローラ０６を挟んで絞りローラ２４と反対側の位置に取り付けられている。この掻き取りブレード３２はその先端部がスポンジ３０と当接している。
【００２２】
（２）トイレットペーパー添湿機１０の使用状態
トイレットペーパー添湿機１０の使用状態を説明する。
【００２３】
トイレットペーパー添湿機１０を、トイレ内部のトイレットペーパーホルダーの近傍にある床や棚の上に載置し、水槽部１４に水や消毒液等の液体を入れる。そして、メインローラ２６の一対の軸２８，２８を、軸受け２２，２２に挿入して、添湿機本体１２にメインローラ２６を回動自在に取り付ける。この場合に、メインローラ２６には円筒状のスポンジ３０を予め取り付けておく。そして、スポンジ３０が、水槽部１４に溜められている液体に浸るようにする。
【００２４】
トイレットペーパー３４を加湿して使用する場合には、図３に示すようにトイレットペーパーホルダーから取り出して適当な長さに切ったトイレットペーパー３４を二、三枚折り重ねて少し厚めにして、手のひらに持ち、メインローラ２６を回動させつつ、スポンジ３０に添えるようにして押し当てる。スポンジ３０は、水槽部１４の液体を吸い込み、絞りローラ２４によって必要以上の液体は絞り出されて、適当な量の水分を含んだスポンジ３０が添湿機本体１２の上方に回動してくる。そして、スポンジ３０に添えるようにしてトイレットペーパー３４を押し当てる。スポンジ３０は、適当な量の液体によって濡れているため、スポンジ３０に当てられたトイレットペーパー３４は、液体によって適当に湿る。この場合に、トイレットペーパー３４は、スポンジ３０に単に添えるようにして押し当てるだけであるため、液体によってベトベトになったり溶けたりすることがない。さらに、この動作中に遮断壁２０によってトイレットペーパー添湿機１０の周りに液体が飛び散らない。このようにして湿らしたトイレットペーパー３４を臀部等に当てて使用する。
【００２５】
トイレットペーパー３４に水分を供給したスポンジ３０は、回動することによって掻き取りブレード３２の位置にくる。このとき、トイレットペーパー３４のカス等がスポンジ３０に付着していても、この掻き取りブレード３２によって掻き取られるため、水槽部１４の液体にトイレットペーパー３４のカスが入ることがない。
【００２６】
なお、スポンジ３０は、上記したようにメインローラ２６に対し、着脱自在であるため、スポンジ３０が汚れた場合には、メインローラ２６を添湿機本体１２から外すと、その取替えが容易である。
【００２７】
水槽部１４の液体が汚れたり無くなってきた場合には、栓１８を添湿機本体１２から外し開口部１６から不要な液体を排出する。その後に添湿機本体１２の上面から新たな液体を補給する。
【００２８】
（第２の実施形態）
第２の実施形態のトイレットペーパー添湿機１０について図４に基づいて説明する。
【００２９】
本実施形態と第１の実施形態の異なる点は、絞りローラ２４に代えて、絞りブレード３６を設けた点にある。
【００３０】
本実施形態の添湿機１０であっても、スポンジ３０に染み込んだ必要以上の液体が、絞りブレード３６の先端部によって絞り取られ、適当な量の液体のみがスポンジ３０に含まれることとなる。したがって、従来のようにトイレットペーパー３４がべとついたりすることがない。
【００３１】
その上、本実施形態のトイレットペーパー添湿機１０であると、スポンジ３０の前部には掻き取りブレード３２が設けられ、後部には絞りブレード３６が取り付けられているため、メインローラ２６を図６における時計回りの方向に回転させても、反時計回りの方向に回転させてもよい。
【００３２】
すなわち、図４における時計回りの方向に回転させた場合には上記したように絞りブレード３６によって液体が絞り出され、掻き取りブレード３２によってトイレットペーパー３４のカスが掻き取られる。逆に、反時計回りの方向にメインローラ２６を回転させると、掻き取りブレード３２によって必要以上の液体が絞り出され、絞りブレード３６によってトイレットペーパー３４のカスが掻き取られることとなる。
【００３３】
（第３の実施形態）
第３の実施形態のトイレットペーパー添湿機１０について図５に基づいて説明する。
【００３４】
本実施形態と第１の実施形態の異なる点は、メインローラ２６の軸２８にハンドル３８が設けられている点にある。ハンドル３８は、図５に示すように添湿機本体１２の側面から突出し、人間の手によって回動自在になっている。このハンドル３８は、メインローラ２６の軸２８と着脱自在になっており、メインローラ２６を添湿機本体１２から取り外す場合には、先ずこのハンドル３８を軸２８から取り外し、その後メインローラ２６を添湿機本体１２から取り外す。
【００３５】
本実施形態のトイレットペーパー添湿機１０であると、このハンドル３８を手によって回転させることにより、メインローラ２６を容易に回転させることができるため、例えば、右手でトイレットペーパー３４をスポンジ３０に押し当てて、左手でこのハンドル３８を回動させることにより適当な量の水分をスポンジ３０に染み込ませることができる。
【００３６】
（変更例）
本発明は上記実施形態に限らず、その趣旨を逸脱しない限り種々に変更することができる。
【００３７】
例えば上記実施形態のトイレットペーパー添湿機１０は、床等に置くタイプであったが、これに代えて壁掛け方式であってもよい。
【産業上の利用可能性】
【００３８】
本発明は、臀部における肛門等に疾患を有する患者が、トイレットペーパーによって拭き取る場合に好適なものである。
【００３９】
すなわち、本発明のトイレットペーパー添湿機によってトイレットペーパーを適当に湿らすことにより、痔等の疾患を臀部に有する患者であっても、苦痛を与えることなく臀部の汚れを拭き取ることができる。
【図面の簡単な説明】
【００４０】
【図１】第１の実施形態のトイレットペーパー添湿機の斜視図である。
【図２】同じく分解斜視図である。
【図３】同じく縦断面図である。
【図４】第２の実施形態のトイレットペーパー添湿機の縦断面図である。
【図５】第３の実施形態のトイレットペーパー添湿機の斜視図である。
【符号の説明】
【００４１】
１０  トイレットペーパー添湿機
１２  添湿機本体
１４  水槽部
１６  開口部
１８  栓
２０  遮断壁
２２  軸受け
２４  絞りローラ
２６  メインローラ
２８  軸
３０  スポンジ
３２  掻き取りブレード
３４  トイレットペーパー
３６  絞りブレード
３８  ハンドル
【図１】
2006167121.tif 000003
【図２】
2006167121.tif 000004
【図３】
2006167121.tif 000005
【図４】
2006167121.tif 000006
【図５】
2006167121.tif 000007